(57)【特許請求の範囲】
【請求項１】
複数の系の個々のレベルを、それぞれ設定する個別レベル設定手段と、
複数の前記系をまとめてグループ化することが可能とされ、グループ化された複数の前記系における前記個別レベル設定手段の個々の設定レベルを一括して設定する全体レベル設定手段と、
前記個々の系毎に前記グループ化を設定するグループ設定手段と、
前記系毎に、前記個別レベル設定手段で設定された個別設定レベルが表示され、前記グループ化された複数の前記系では、前記個別設定レベルに、前記全体レベル設定手段で設定された全体設定レベルを反映させたレベルが、前記個々の系からミキシング用のバスに送出される送出レベルとして、前記個別設定レベルの表示にオーバレイ表示される表示手段と、
を備えることを特徴とするレベル設定装置。
【請求項２】
前記表示手段には、前記複数の系のそれぞれの前記個別設定レベルと前記送出レベルとのレベル値が、前記系毎に並べて表示されることを特徴とする請求項１に記載のレベル設定装置。
【請求項３】
さらに、前記系をオン／オフする切換手段を備え、
該切換手段によりオフされた系においては、前記送出レベルを最小のレベルとすることを特徴とする請求項１または２に記載のレベル設定装置。
【請求項４】
それぞれの入力チャンネルに設けられ、当該入力チャンネルのレベルを制御するチャンネルフェーダと、
複数の前記入力チャンネルをまとめてグループ化することが可能とされ、グループ化された複数の前記入力チャンネルにおけるチャンネルフェーダの個々の設定レベルを一括して設定するグループフェーダと、
前記入力チャンネル毎に前記グループ化を設定するグループ設定手段と、
前記チャンネルフェーダで設定したチャンネルフェーダレベルに、前記グループフェーダで設定したグループフェーダレベルを反映させたレベルを、前記グループ化された複数の前記各入力チャンネルからミキシング用のバスに送出される送出レベルとして算出する算出手段と、
前記入力チャンネル毎に前記チャンネルフェーダレベルが表示され、前記グループ化された複数の前記入力チャンネルでは、前記チャンネルフェーダレベルの表示に、前記算出手段で算出した前記送出レベルがオーバレイ表示される表示手段と、
を備えることを特徴とするレベル設定装置。
【請求項５】
前記表示手段は、バーの長さによりレベルが示されるレベル表示部を有し、該レベル表示部と、該レベル表示部の所定レベル位置に置かれることによりレベルを示すレベル指示手段とにより、前記チャンネルフェーダレベルの表示に、前記算出手段で算出した前記送出レベルがオーバレイ表示されることを特徴とする請求項４に記載のレベル設定装置。
【請求項６】
さらに、１つの前記入力チャンネルから複数の前記ミキシング用のバスへ送るセンドレベルを前記バス毎に制御する複数のセンドを備え、
前記算出手段は、前記グループ化されていない前記入力チャンネルでは、前記チャンネルフェーダで設定した前記チャンネルフェーダレベルに、前記各センドに設定されたセンドレベルを反映させることにより、前記各センドから前記バスへ送出される送出レベルを算出し、前記グループ化された前記入力チャンネルでは、前記チャンネルフェーダで設定したチャンネルフェーダレベルに、前記グループフェーダで設定したグループフェーダレベルを反映させると共に、前記各センドに設定されたセンドレベルを反映させることにより、前記各センドから前記バスへ送出される送出レベルを算出することを特徴とする請求項４に記載のレベル設定装置。
【請求項７】
前記表示手段は、バーの長さによりレベルが示されるレベル表示部を有し、該レベル表示部と、該レベル表示部の所定レベル位置に置かれることによりレベルを示すレベル指示手段とにより、前記センドに設定されたセンドレベルの表示に、前記算出手段で算出した送出レベルがオーバレイ表示されることを特徴とする請求項６に記載のレベル設定装置。
【請求項８】
表示手段を少なくとも備えるコンピュータに、
複数の系の各系が備える個別レベル設定手段のユーザ操作に応じて、ユーザ操作された系の個別設定レベルを設定する個別レベル設定ステップと、
全体レベル設定手段のユーザ操作に応じて、複数の前記系をまとめたグループに属する複数の前記系における前記個別レベル設定手段の個々の設定レベルを一括してレベル設定する全体レベル設定ステップと、
前記個々の系毎に前記グループに属させるか否かをユーザ操作に応じて設定するグループ設定ステップと、
前記系毎に、前記個別レベル設定ステップで設定された個別設定レベルを表示し、前記グループ化された複数の前記系では、前記個別設定レベルに、前記全体レベル設定ステップで設定された全体設定レベルを反映させたレベルを、前記個々の系からミキシング用のバスに送出される送出レベルとして、前記個別設定レベルの表示にオーバレイ表示する表示ステップと、
からなる手順を実行させることを特徴とするレベル設定プログラム。
【発明の詳細な説明】
【技術分野】
【０００１】
この発明は、個別レベル設定手段で設定されたレベルと、全体レベル設定手段で設定されたレベルを反映したレベルとを恒常的に同時に表示することができるレベル設定装置およびレベル設定プログラムに関する。
【背景技術】
【０００２】
ミキサは、入力信号系列として複数のマイク／ライン入力の入力チャンネル（以下、「チャンネル」を「ｃｈ」として表す。）を備え、入力ｃｈからミキシング用のバスに送出する。このバスからのミキシング信号は、出力信号系列である複数の出力ｃｈから出力される。各入力ｃｈでは、周波数特性および音量レベルが設定され、次いでバスへ送出されるセンドレベルが設定される。
従来のミキサにおいて、各入力ｃｈ毎に備えられているｃｈフェーダの複数をＤＣＡグループとしてまとめ、ＤＣＡフェーダを操作することで、同一グループ内のｃｈフェーダを連動させて操作する機能が知られている。この場合、実際にそのｃｈからバスへ送出されるレベルは、ｃｈフェーダのレベルにＤＣＡフェーダのレベルを反映したレベルとなる。そして、従来のミキサにおいて、ｃｈフェーダのツマミの位置がフェーダレベルを示すことになるが、スイッチを操作することにより、ｃｈフェーダのツマミの位置を、フェーダレベルにＤＣＡフェーダのＤＣＡレベルを反映した位置に動かして、実際にそのｃｈからバスへ送出されるレベルをツマミの位置により表示することが知られている（特許文献１参照）。これにより、スイッチを操作することで実際にそのｃｈから送出されるレベルを簡単に確認することができるようになる。そして、スイッチを操作しない限りＤＣＡフェーダのレベルが反映されないので、ｃｈフェーダにおいてはツマミを動かしてレベルを細かく設定することができるようになる。
【先行技術文献】
【特許文献】
【０００３】
【特許文献１】特開２００４−２５３８７６号公報
【発明の概要】
【発明が解決しようとする課題】
【０００４】
従来のミキサにおいては、一時的にＤＣＡフェーダで設定されたＤＣＡレベルを反映したレベルを表示することはできたが、現在のｃｈフェーダで設定されたフェーダレベルと、ＤＣＡレベルを反映した実際に送出されるレベルとを対比できるように恒常的に同時に表示することはできなかった。すなわち、レベルを設定する際にフェーダレベルとＤＣＡレベルとの対比ができず、効率的にレベルを設定することができないという問題点があった。
【０００５】
そこで、本発明は、個別レベル設定手段で設定されたレベルと、全体レベル設定手段で設定されたレベルを反映した実際に送出されるレベルとを対比できるように恒常的に同時に表示するレベル設定装置およびレベル設定プログラムを提供することを目的としている。
【課題を解決するための手段】
【０００６】
上記目的を達成するために、本発明のレベル設定装置は、複数の系の個々のレベルを、それぞれ設定する個別レベル設定手段と、複数の前記系をまとめてグループ化することが可能とされ、グループ化された複数の前記系における前記個別レベル設定手段の個々の設定レベルを一括して設定する全体レベル設定手段と、前記個々の系毎に前記グループ化を設定するグループ設定手段と、前記系毎に、前記個別レベル設定手段で設定された個別設定レベルが表示され、前記グループ化された複数の前記系では、前記個別設定レベルに、前記全体レベル設定手段で設定された全体設定レベルを反映させたレベルが、前記個々の系からミキシング用のバスに送出される送出レベルとして、前記個別設定レベルの表示にオーバレイ表示される表示手段とを備えることを最も主要な特徴としている。
【発明の効果】
【０００７】
本発明のレベル設定装置では、個別レベル設定手段で設定された個別設定レベルを表示する表示手段に、グループ化された複数の系では、個別レベル設定手段の個別設定レベルに、全体レベル設定手段の全体設定レベルを反映させたレベルを、個々の系から送出される送出レベルとして、前記個別設定レベルの表示にオーバレイ表示している。これにより、表示手段を見ることで、個別レベル設定手段で設定されたレベルと、全体レベル設定手段で設定されたレベルを反映した実際に送出されるレベルとを対比することができるようになる。
【図面の簡単な説明】
【０００８】
【図１】本発明にかかるレベル設定装置を備えるミキサの主要な構成を示す回路ブロック図である。
【図２】本発明にかかるミキサの構成を示す機能ブロック図である。
【図３】本発明にかかるレベル設定装置を備えるミキサで実行される表示処理のフローチャートである。
【図４】本発明にかかるレベル設定装置を備えるミキサに表示される入力チャンネルのチャンネル画面、その一部を拡大して示す図、異なる表示態様のチャンネル画面である。
【図５】本発明にかかるレベル設定装置を備えるミキサに表示される入力チャンネルのメイン画面、および、その一部を拡大して示す図である。
【発明を実施するための形態】
【０００９】
本発明にかかるレベル設定装置を備えるミキサ１の主要な構成を示す回路ブロック図を図１に示す。
図１において、ミキサ１は、入力ｃｈ数がｎとされている入力ｃｈ毎に設けられた入力ｃｈ部１０−１，１０−２，・・・，１０−ｎを備え、各入力ｃｈ部１０−１〜１０−ｎにおいて周波数特性およびＡＵＸバス１２とＳＴバス１３に送出されるレベルが制御される。本発明にかかるレベル設定装置は、入力ｃｈ部１０−１〜１０−ｎと、ミキサ１が備える図示しないパネルに設けられた後述するチャンネル画面３０およびメイン画面４０が表示される表示手段とにより構成される。入力ｃｈ部１０−１には入力ｃｈ１の音信号Ｉｎ１が入力され、入力ｃｈ部１０−２には入力ｃｈ２の音信号Ｉｎ２が入力され、・・・，入力ｃｈ部１０−ｎには入力ｃｈｎの音信号Ｉｎｎが入力される。各入力ｃｈ部１０−１〜１０−ｎは同じ構成とされており、ヘッドアンプ（ＨＡ）２１、イコライザ（ＥＱ）２２、コンプレッサ（Comp）２３、フェーダ（Fader）２４、パン（Pan）２５を縦続接続した構成、および、センド（Send）２６を備えている。ＨＡ２１は、入力された音信号Ｉｎ１〜Ｉｎｎを所定レベルに増幅するアンプであり、ＥＱ２２は、入力ｃｈの音信号Ｉｎ１〜Ｉｎｎの周波数特性を調整するイコライザであり、例えば、ＨＩ，ＭＩＤ  ＨＩ，ＬＯＷ  ＭＩＤ，ＬＯＷの４バンドの各バンド毎の周波数特性を可変できるようにされている。また、コンプレッサ２３は、入力ｃｈの音信号Ｉｎ１〜Ｉｎｎのダイナミックレンジを狭くして、入力ｃｈの音信号Ｉｎ１〜Ｉｎｎが飽和することを防止しており、フェーダ２４は、入力ｃｈの音信号Ｉｎ１〜Ｉｎｎのレベルを制御する電動フェーダ等のレベル可変手段であり、パン２５は、入力ｃｈ部１０−１〜１０−ｎからＬＲの２系統のステレオ（ＳＴ）バス１３に送られるステレオ信号の左右の定位を調節している。さらに、センド２６には、フェーダ２４の前と後とのいずれかの音信号が供給されており、複数本（ｍ本）のミキシング用のＡＵＸバス１２のそれぞれに送る音信号のセンドレベルを制御している。この場合、センド２６には、ｍ本のＡＵＸバス１２毎にフェーダ２４の前からのプリフェーダ信号あるいは後からのポストフェーダ信号が選択されて供給され、選択された音信号のセンドレベルを制御して各ＡＵＸバス１２に送っている。
【００１０】
また、ミキサ１では、各入力ｃｈ部１０−１〜１０−ｎに備えられているフェーダ２４の複数をＤＣＡグループとしてまとめて、ＤＣＡフェーダ１１を操作することで、同一のＤＣＡグループに属するフェーダ２４を連動させて操作する機能を有している。ミキサ１には、グループ設定手段が備えられており、このグループ設定手段によりＤＣＡグループを複数作成して、任意の入力ｃｈを任意のＤＣＡグループに属させる設定を行うことができる。ＤＣＡグループに属する入力ｃｈでは、実際にその入力ｃｈのフェーダ２４から送出されるレベルは、フェーダ２４で設定したフェーダレベルにＤＣＡフェーダ１１のＤＣＡレベルを反映したレベルとなる。
ミキサ１においては、入力ｃｈ１〜ｃｈｎの音信号を入力ｃｈ部１０−１〜１０−ｎから、ｍ本のＡＵＸバス１２の任意のバスに供給してミキシングすることができると共に、ＳＴバス１３に供給してミキシングすることができる。そして、ｍ本のＡＵＸバス１２からのミキシング信号は、出力ｃｈ数がｍとされている出力ｃｈ毎に設けられた出力ｃｈ部１４−１，１４−２，・・・，１４−ｍのそれぞれの出力ｃｈに出力されている。また、ＳＴバス１３でミキシングされたステレオ信号はステレオ出力ｃｈ部１５に出力されている。出力ｃｈ部１４−１，１４−２，・・・，１４−ｍおよびステレオ出力ｃｈ部１５においては、イコライザ、コンプレッサ、フェーダなどが縦続接続されて設けられており、出力する音信号の周波数特性やレベルが制御される。
【００１１】
ミキサ１の構成を示す機能ブロック図を図２に示す。
図２に示すミキサ１において、音信号の信号処理はＤＳＰ（Digital Signal Processor）５２を用いて実行されており、ＣＰＵ（Central Processing Unit）５０の制御の元で入力ｃｈ部１０−１〜１０−ｎ、ＡＵＸバス１２、ＳＴバス１３、出力ｃｈ部１４−１〜１４−ｍ、ステレオ出力ｃｈ部１５における信号処理を行っている。これらの信号処理をＣＰＵ５０にて動作するソフトウェアによって実現しても良い。ミキサ１の全体の制御はＣＰＵ５０により行われている。メモリ５１は、フラッシュメモリとＲＡＭ（Random Access Memory）とを備え、ＣＰＵ５０が実行するレベル設定プログラム等の動作ソフトウェアや各種データがフラッシュメモリに記憶され、ＣＰＵ５０のワークメモリ領域や一時保存データ等の領域がＲＡＭに設定される。なお、フラッシュメモリの一部領域をＲＡＭとして用いてもよいし、フラッシュメモリに替えてハードディスク等の書換可能な不揮発性の記憶デバイスを用いてもよい。表示手段である表示部５３は、液晶表示器等とされ後述するチャンネル画面３０やメイン画面４０などの画面が表示される。操作部５４は、フェーダ２４やセンド２６等の操作子を備え、操作子の操作を検出している。検出された操作信号に基づいて信号処理に用いるパラメーターが編集される。表示部５３をタッチパネル付きとして、タッチパネルを操作部５４とすることができる。その他Ｉ／Ｆ５５は、外部機器を接続するためのインタフェースであり、ネットワーク用のインタフェースやＵＳＢ（Universal Serial Bus）などのシリアルインタフェースとされる。音声Ｉ／Ｆ５６は、ミキサ１に音信号を入力するアナログ入力ポートや信号処理された音信号を出力するアナログ出力ポート、ディジタル信号を入力すると共に、外部に信号処理されたディジタル信号を出力するディジタル入力／出力ポートを備えている。アナログ入力ポートから入力された音信号はディジタル信号に変換されて音声／通信バス５７に送出され、入力されたディジタル入力信号も音声／通信バス５７に送出される。音声／通信バス５７へ送出されたディジタル信号はＤＳＰ５２が受け取って所定の信号処理が施される。これにより、ＤＳＰ５２から音声／通信バス５７に送出された音信号を音声Ｉ／Ｆ５６からスピーカ等へ供給することができるようになる。
【００１２】
ミキサ１は本発明にかかるレベル設定プログラムを実行することにより、以下に説明するレベル設定装置を実現している。レベル設定装置では、入力ｃｈ部１０−１〜１０−ｎのフェーダ２４から送出される音信号の実際のレベルを算出して表示する表示処理をＣＰＵ５０が行い、表示処理により後述するチャンネル画面３０のフェーダレベルを表示する表示部に、フェーダ２４から実際に送出されるレベルがオーバレイ表示されるようになる。表示処理では、ＤＣＡグループに属する入力ｃｈでは、フェーダ２４で設定したフェーダレベルにＤＣＡフェーダ１１で設定したＤＣＡレベルを反映させて算出したレベルをオーバレイ表示するようにし、ＤＣＡグループに属していない入力ｃｈでは、フェーダ２４で設定したフェーダレベルが実際の送出レベルとなることから、フェーダレベルのみ表示する。ＣＰＵ５０で実行される表示処理のフローチャートを図３に示す。
表示処理は所定タイミングが到来する毎にスタートされ、表示処理がスタートされると、ステップＳ１０にてＤＣＡが反映されるチャンネルか否かをＣＰＵ５０が判断する。ここでは、ＤＣＡグループに属していない入力ｃｈの場合はＤＣＡが反映しないと判断されてステップＳ１１に進む。ステップＳ１１では、ＣＰＵ５０は表示するレベルをフェーダ２４で設定されているフェーダレベル値のみとする。また、ＤＣＡグループに属している入力ｃｈの場合は、ステップＳ１０でＤＣＡが反映すると判断されてステップＳ１２に進む。ステップＳ１２では、ＣＰＵ５０は、フェーダ２４で設定されているフェーダレベルを表示部５３に表示すると共に、ＤＣＡフェーダ１１で設定されているＤＣＡレベルをフェーダレベルに乗算してフェーダ２４から送出される実際のレベルを算出し、算出したレベルを表示部５３にオーバレイ表示する。ステップＳ１１あるいはステップＳ１２の処理が終了すると表示処理は終了する。なお、ステップＳ１２において乗算により算出するのは、フェーダレベルおよびＤＣＡレベルがリニアスケールの場合であり、ｄＢスケールの場合はフェーダレベルにＤＣＡレベルが加算されて表示部５３に表示するレベルが算出される。なお、フローチャートでは示されていないが表示処理が一度スタートすると、全ての入力ｃｈ部１０−１〜１０−ｎにおける全てのフェーダ２４から送出される実際の各レベルの全てがＣＰＵ５０で算出される。すなわち、ｎ回の表示処理がＣＰＵ５０で繰り返し行われることになる。そして、算出された各レベルで表示部５３に表示される表示レベルが更新されて記憶手段に記憶される。
【００１３】
本発明にかかるミキサ１の表示部５３に表示される入力チャンネルのチャンネル画面を図４（ａ）に、その一部を拡大して図４（ｂ）に、異なる表示態様のチャンネル画面を図４（ｃ）に示す。
ユーザの操作により表示部５３に、図４（ａ）に示すチャンネル画面３０を表示することができる。チャンネル画面３０は、各入力ｃｈの主なパラメータの設定状態を表示する画面であり、図示する例は、チャンネル画面３０には入力ｃｈ１（ＣＨ１）〜入力ｃｈ８（ＣＨ８）におけるパラメータの設定状態が表示されている。また、入力ｃｈ１〜入力ｃｈ８はＤＣＡグループに属しており、属するＤＣＡグループのＤＣＡフェーダ１１で設定されたＤＣＡレベルを表示するＤＣＡレベル表示部１１ａが設けられている。入力ｃｈ１〜入力ｃｈ８では、各入力ｃｈから実際に送出されるレベルを表示する後述するｃｈレベル表示部３１ｂと、各入力ｃｈのフェーダ２４で設定したフェーダレベルを表示する後述するフェーダレベル指示部３１ｃがｃｈレベル表示部３１ｂにオーバレイ表示されている。また、入力ｃｈ１〜入力ｃｈ８では、各入力ｃｈにおける他のパラメータの設定状態も表示されており、図４（ｂ）に拡大して示す入力ｃｈ４（ＣＨ４）を例に挙げて説明する。
【００１４】
パラメータの設定状態が表示されている図４（ｂ）に示す入力ｃｈ４では、入力ｃｈ４のチャンネル番号「ＣＨ４」がｃｈ番号部３１ａに表示され、その上側にｃｈレベル表示部３１ｂとフェーダレベル表示部３１ｃとが表示されている。フェーダレベル表示部３１ｃは、フェーダのノブを模擬する横に細長い矩形状とされ、フェーダレベル指示部３１ｃの下からの高さ位置でフェーダレベルを示している。ｃｈレベル表示部３１ｂは、縦に長い矩形状の枠で表示され、例えば濃い色のバーの下からの長さでｃｈレベルを表示している。このｃｈレベル表示部３１ｂに表示されるｃｈレベルは、実際に送出されるレベル（フェーダ２４で設定されたフェーダレベル×ＤＣＡフェーダ１１で設定されたＤＣＡレベル）であり、フェーダレベル表示部３１ｃにオーバレイ表示されている。レベル表示部３１ｂの上側にはパン２５の定位状態を示すPAN 部２５ａと、さらにその上側に入力チャンネルをオン／オフするCHSW２７ａが表示されている。ＡＵＸバスセンドエリア３１では、ＡＵＸバス１２が８本とされている例が示されている。また、CHSW２７ａは、図１に示すフェーダ２４とＰＡＮ２５とを接続するラインであって、フェーダ２４からの信号を分岐する前に挿入されており、CHSW２７ａをオフすると、フェーダ２４からＡＵＸバス１２およびＳＴバス１３への送出がオフになる。
【００１５】
なお、ｃｈレベル表示部３１ｂでは、上記した図３に示す表示処理で算出されたフェーダ２４から実際に送出されるレベルが記憶手段から読み出され、表示された濃色で示すバーの長さが読み出されたレベルに応じた長さとされる。図示する場合は、入力ｃｈ４がＤＣＡグループに属しており、入力ｃｈ４の入力ｃｈ部１０−４のフェーダ２４に設定されているフェーダレベルに、ＤＣＡフェーダ１１に設定されているＤＣＡレベルが乗算されたレベルが表示される。他の入力ｃｈ（ＣＨ１〜ＣＨ３，ＣＨ５〜ＣＨ８）でも表示態様は同様とされている。
このように、チャンネル画面３０を表示させるとフェーダ２４で設定したフェーダレベルに、フェーダ２４から実際に送出されるレベルがオーバレイ表示されていることから、ユーザはチャンネル画面３０を見ることで、レベルを設定する際にフェーダレベルとＤＣＡレベルとを対比しながら、効率的にレベルを設定することができるようになる。
【００１６】
ところで、前述したようにCHSW２７ａをオフすると、フェーダ２４からＡＵＸバス１２およびＳＴバス１３へ送出されなくなることから、フェーダ２４から実際に送出されるレベルは最小のレベルとなる。CHSW２７ａをオフされた場合のチャンネル画面３０の表示態様を図４（ｃ）に示す。
図４（ｃ）に示す例では、入力ｃｈ３，５，６（ＣＨ３，ＣＨ５，ＣＨ６）のCHSW２７ａがオフされており、CHSW２７ａの欄がグレー表示されている。ＣＨ３，ＣＨ５，ＣＨ６のｃｈレベル表示部３１ｂでは、０レベルが実際に送出されるレベルとして表示されているが、CHSW２７ａのオン／オフに関わらずフェーダ２４で設定されたフェーダレベルはフェーダレベル指示部３１ｃで表示されている。なお、上記した表示処理では、CHSW２７ａのオン／オフをフェーダ２４から実際に送出されるレベルに反映させており、CHSW２７ａをオフした場合は、０レベルが算出されて表示されるようになる。なお、０レベルが算出されるのは、フェーダレベルおよびＤＣＡレベルがリニアスケールの場合であり、ｄＢスケールの場合は最小のレベルが算出される。
【００１７】
本発明にかかるミキサ１の表示部５３に表示される入力ｃｈのメイン画面４０の構成を図４（ａ）に示す。
ユーザがメイン画面４０を表示させる操作を行うと、表示部５３に図４（ａ）に示す入力ｃｈ用のメイン画面（CH View）４０が表示される。図示する例は、入力ｃｈ１用のメイン画面４０であり、「Ch.1 Vocal」のｃｈ名と、入力ｃｈ１に対応する入力ｃｈ部１０−１に設定されている各種パラメータが表示される。なお、図示しないチャンネル移動ボタンを操作することにより、入力ｃｈ２〜ｎのいずれかの入力ｃｈ用のメイン画面４０を表示することができ、何れであってもメイン画面４０は共通の構成とされている。メイン画面４０には、ＨＡ２１のゲインを回転角度で示すノブとレベルメータとからなるＨＡ部２１ａと、ＥＱ２２の周波数特性のグラフとレベルメータとからなるＥＱ部２２ａと、コンプレッサ２３の出力レベル特性を示すグラフとレベルメータとからなるComp部２３ａとが向かって左側からほぼ中央部に表示されている。その右側には、フェーダ２４のフェーダレベルを設定するノブを備えるFader部２４ａと、そのレベルメータとが表示され、その上側にパン２５の定位状態を示すPAN 部２５ａと、さらにその上側にチャンネルをオン／オフするCHSW２７ａが表示されている。さらに、これらの右側にセンド２６に設けられているセンドフェーダで設定されたセンドレベルと、ＡＵＸバス１２のｍ本の各バスへ送出される実際のレベルとをオーバレイ表示する後述するレベル表示部４２ｃと、後述するPre/Post表示部４２ｂとを備えるＡＵＸバスセンドエリア４１が表示されている。図示するＡＵＸバスセンドエリア４１では、ＡＵＸバス１２が８本とされている例が示されている。
【００１８】
ＡＵＸバスセンドエリア４１に表示されるＡＵＸバス１２のバス１に関連する表示態様を拡大して図５（ｂ）に示す。この図に示すように、バス番号部４１ａに「１」と表示され、その右側にPre/Post表示部４２ｂが表示され、その右側にセンドフェーダで設定されたセンドレベルをフェーダのノブを模擬するセンドレベル指示部４２ｄのレベル位置で示すレベル表示部４２ｃが表示されている。ＡＵＸバス１２のバス１には、このバス３に接続されているセンド部から送出された音信号が供給される。Pre/Post表示部４２ｂが図示するように白抜きの○が表示されている場合は、バス１に接続されているセンド部にフェーダ２４の前からのプリフェーダ（PRE）の音信号が供給されていることを示しており、塗りつぶされて●が表示されている場合は、バス１に接続されているセンド部にフェーダ２４の後からのポストフェーダ（POST）の音信号が供給されていることを示している。また、上記した図３に示す表示処理で算出されたレベルにセンドフェーダで設定されたセンドレベルが乗算されて、センド部から実際に送出されるレベルが算出され、算出されたレベルが濃色で示すバーの長さで示されるレベル表示がレベル表示部４２ｃにオーバレイ表示されている。ＡＵＸバス１２の他のバスでも表示態様は同様とされている。
このように、ＡＵＸバスセンドエリア４１のレベル表示部４２ｃに表示されるレベルを、センドレベルと、ＡＵＸバス１２に実際に送出されるレベルとすることができることから、ユーザはＡＵＸバスセンドエリア４１を見ることで、センドレベルとフェーダレベルおよびＤＣＡレベルとを対比しながら、ＡＵＸバス１２の各バスへ送る実際の音量を設定することができる。
【産業上の利用可能性】
【００１９】
以上説明した本発明のレベル設定装置を備えるミキサでは、各入力ｃｈに設けられているフェーダ２４が、複数の系の個々のレベルを、それぞれ設定する個別レベル設定手段に相当し、ＤＣＡフェーダ１１が、複数の前記系をまとめてグループ化することが可能とされ、グループ化された複数の前記系における前記個別レベル設定手段の個々の設定レベルを一括して設定する全体レベル設定手に相当し、任意の入力ｃｈを任意のＤＣＡグループに属させる設定を行うグループ設定手段が、個々の系毎にグループ化を設定するグループ設定手段に相当し、フェーダ２４で設定したフェーダレベルをフェーダレベル指示部３１ｃで表示すると共に、算出された実際に送出されるレベルをオーバレイ表示するｃｈレベル表示部３１ｂが、前記系毎に、前記個別レベル設定手段で設定された個別設定レベルが表示され、前記グループ化された複数の前記系では、前記個別設定レベルに、前記全体レベル設定手段で設定された全体設定レベルを反映させたレベルが、前記個々の系から送出される送出レベルとして、前記個別設定レベルの表示にオーバレイ表示される表示手段に相当する。
なお、ＤＣＡグループに属していない入力ｃｈでは、フェーダレベルのみ表示するようにしたが、ｃｈレベル表示部３１ｂを用いてフェーダレベルと同値の送出レベルをフェーダレベル指示部３１ｃにオーバレイ表示してもよい。
【００２０】
上記説明したミキサ１のセンド２６は、プリフェーダ信号あるいはポストフェーダ信号を選択するＡＵＸバス１２と同数のｍ個の選択部と、選択部にそれぞれ縦続接続されたｍ個のセンド部とを備えている。各センド部は、ｍ本のＡＵＸバス１２のそれぞれに送るセンドレベルを設定している。
本発明のレベル設定装置は、ミキサのレベル設定装置として説明したが、これに限ることはなく、例えば、複数の照明を備える照明装置の各照明の照度レベルを制御するレベル設定装置とすることができる。この場合は、複数の照明の個々の照度レベルを個別レベル設定手段で設定し、複数の照明の個々の照度レベルを、一括して全体レベル設定手段で制御することができる。
【符号の説明】
【００２１】
１  ミキサ、１０−１〜１０−ｎ  入力ｃｈ部、１１  ＤＣＡフェーダ、１１ａ  ＤＣＡレベル表示部、１２  ＡＵＸバス、１３  ＳＴバス、１４−１〜１４−ｍ  出力ｃｈ部、１５  ステレオ出力ｃｈ部、２１  ＨＡ、２１ａ  ＨＡ部、２２  ＥＱ、２２ａ  ＥＱ部、２３  コンプレッサ、２３ａ  Comp部、２４  フェーダ、２４ａ  Fader部、２５  パン、２５ａ  PAN 部、２６  センド、３０  チャンネル画面、３１  バスセンドエリア、３１ａ  ｃｈ番号部、３１ｂ  ｃｈレベル表示部、３１ｃ  フェーダレベル指示部、４０  メイン画面、４１  ＡＵＸバスセンドエリア、４１ａ  バス番号部、４２ｂ  Pre/Post表示部、４２ｃ  レベル表示部、４２ｄ  センドレベル指示部、５０  ＣＰＵ、５１  メモリ、５２  ＤＳＰ、５３  表示部、５４  操作部、５５  その他Ｉ／Ｆ、５６  音声Ｉ／Ｆ、５７  通信バス
【図１】
0006578680.tif 000002
【図２】
0006578680.tif 000003
【図３】
0006578680.tif 000004
【図４】
0006578680.tif 000005
【図５】
0006578680.tif 000006